(57)【要約】【課題】  比較的狭いトイレルーム内に好適に適用可能な鏡付き手洗い器のトイレ内配置構造を提供する。【解決手段】  上面視略長方形をなすトイレルーム１００の長手方向一方に便器１５０が配置され、かつ便器１５０と反対側のコーナー部近傍に手洗い器１１が設置されるとともに、当該手洗い器１１の上方に手洗い器１１の幅と略同等かそれよりも小さい幅を有する鏡１２が備わった鏡付き手洗い器１０のトイレ内配置構造であって、手洗い器１１がトイレ使用者の肩幅より狭い幅を有するとともに、トイレルーム１００の長手方向をなす側壁１１０の便器１５０と反対側端部近傍に沿って配置され、かつ手洗い器上方に設置された鏡１２が当該側壁１１０に対して便器側のトイレルーム空間に向かって傾いている。【選択図】  図１
2007029544.tif 000002
【特許請求の範囲】
【請求項１】
上面視略長方形をなすトイレルームの長手方向一方に便器が配置され、かつ当該便器と反対側のコーナー部近傍に手洗い器が設置されるとともに、当該手洗い器の上方に手洗い器の幅と略同等かそれよりも小さい幅を有する鏡が備わった鏡付き手洗い器のトイレ内配置構造において、
前記手洗い器がトイレ使用者の肩幅より狭い幅を有するとともに、前記トイレルームの長手方向をなす側壁の前記便器と反対側端部近傍に沿って配置され、かつ前記手洗い器上方に設定された鏡が当該側壁に対して便器側のトイレルーム空間に向かって傾いていることを特徴とする鏡付き手洗い器のトイレ内配置構造。
【請求項２】
前記鏡付き手洗い器の鏡を便器側のトイレルーム空間に対して角度調整可能となるように手洗い器に備えたことを特徴とする、請求項１に記載の鏡付き手洗い器のトイレ内配置構造。
【請求項３】
前記鏡を前記鏡付き手洗い器の幅方向一部に対応するように備えるとともに、当該鏡付き手洗い器の幅方向残りの部分に対応するようにタオル掛けを備えたことを特徴とする、請求項１又は請求項２に記載の鏡付き手洗い器のトイレ内配置構造。
【発明の詳細な説明】
【技術分野】
【０００１】
本発明は、比較的狭いトイレルーム内に好適に適用可能な鏡付き手洗い器のトイレ内配置構造に関する。
【背景技術】
【０００２】
従来からトイレルームに設けた鏡付き手洗い器は知られている（例えば、特許文献１参照）。このような従来型の鏡付き手洗い器が、例えば幅８００ｍｍ程度、奥行き１２００ｍｍ程度の上面視長方形形状を有した比較的狭いトイレルーム内に配置されることもある。そして、このような鏡付き手洗い器は、図４に示すように、トイレルーム内の長手方向一方に偏倚して設けられた便器と反対側のコーナー部においてこのコーナー部をなす２つの壁部（側壁１１０と端壁１２０）に対して斜めに備えつけられる場合がある。
【０００３】
このような鏡付き手洗い器５０の配置構造によると、鏡付き手洗い器５０の背面とトイレルーム１００のコーナー部との間に上面視三角形のデッドスペース１０１が生じてしまい、トイレルーム内の限られた空間を有効に活用できなくなる。
【０００４】
かかる不都合を防止するために、図５に示すような鏡付き手洗い器６０をトイレルーム１００の長手方向をなす側壁１１０の便器１５０と反対側端部近傍にこの側壁１１０に沿って設置する配置構造も考えられている。
【特許文献１】特開２０００−１６０６５８号公報（５−６頁、図４）
【発明の開示】
【発明が解決しようとする課題】
【０００５】
図５に示すような鏡付き手洗い器６０をトイレルーム１００の長手方向をなす側壁１１０の便器１５０と反対側端部近傍にこの側壁１１０に沿って設置する配置構造において、トイレルーム１００が比較的狭い場合、鏡付き手洗い器６０の幅を広くとると便器１５０に着座した使用者の膝が鏡付き手洗い器６０にぶつかって使い勝手が悪くなる（図５における点線参照）。
【０００６】
このため、図５の実線及び図６に示すように例えば使用者の肩幅よりかなり狭い幅を有する鏡付き手洗い器７０を側壁１１０に設置し、便器１５０に座った使用者の膝がこの鏡付き手洗い器７０と干渉しないようにすることが考えられるが、このような位置に幅の狭い鏡付き手洗い器７０を配置すると、例えば使用者がこの鏡付き手洗い器７０を使って手を洗う際に、図７に示すように一方の肩が端壁１２０にぶつからないように上体を便器側にずらして手を洗う必要がある（図７中の点線で示す円Ｃ参照）。
【０００７】
鏡７２はその裏面全体がトイレルーム１００の側壁１１０と接するように鏡付き手洗い器７０に備わっているので、使用者の上半身が便器側にずれたまま手を洗った後に使用者が身繕いのために自分の顔や襟元を確認するときに鏡７２に自分の顔や襟元が映らず見づらくなる。そして、鏡７２で自分の顔や襟元を見ようとするために、使用者は上半身を便器１５０と反対側のトイレルーム１００の端壁１２０にずらさなければならず、使用者の片方の肩（図７中の右側の肩）がトイレルーム１００の端壁１２０とぶつかり、不快感を与えてしまう。
【０００８】
一方、上述したコーナー部に斜めに鏡付き手洗い器５０を設けた場合（図４参照）、図６及び図７に示したような使用者の肩がトイレルーム１００の端壁１２０に当たる不都合はないが、トイレルーム内のデッドスペース１０１の問題に加えて、以下のような問題が生じる。
【０００９】
具体的には、例えば集合住宅の室内や店舗においてはトイレルームの配置に制約を受ける関係上、トイレルーム１００への出入り用扉１３０をトイレルーム１００の便器１５０と反対側の端壁１２０に設ける場合がある（図８参照）。この場合、トイレルーム１００のコーナー部に鏡付き手洗い器５０を斜めに設けたのでは、トイレルーム１００の出入り用扉１３０の幅が狭くなり（図８中、幅Ｂ参照）、トイレルーム１００からの出入りがしにくくなるという問題もある。
【００１０】
本発明の目的は、比較的狭いトイレルーム内に好適に適用可能な鏡付き手洗い器のトイレ内配置構造を提供することにある。
【課題を解決するための手段】
【００１１】
上述した課題を解決するために、本発明にかかる鏡付き手洗い器のトイレ内配置構造は、
上面視略長方形をなすトイレルームの長手方向一方に便器が配置され、かつ当該便器と反対側のコーナー部近傍に手洗い器が設置されるとともに、当該手洗い器の上方に手洗い器の幅と略同等かそれより小さい幅を有する鏡が備わった鏡付き手洗い器のトイレ内配置構造において、
前記手洗い器がトイレ使用者の肩幅より狭い幅を有するとともに、前記トイレルームの長手方向をなす側壁の前記便器と反対側端部近傍に沿って配置され、かつ前記手洗い器上方に設置された鏡が当該側壁に対して便器側のトイレルーム空間に向かって傾いていることを特徴としている。
【００１２】
鏡付き手洗い器の手洗い器がトイレルームの便器と反対側のコーナー部近傍の側壁に沿って配置されているので、トイレルーム内にデッドスペースを生じさせずに済む。
【００１３】
また、これに加えてトイレルームの幅方向のスペースを広く確保できる。また、手洗い器が使用者の肩幅より狭くなっているので、便器に使用者が座った状態で手洗い器に使用者の膝が当たることもない。また、鏡付き手洗い器の鏡だけ便器側のトイレルーム空間に向かって傾いているので、幅の狭い手洗い器をこのような位置に配置しても使用者がトイレルームの便器と反対側端壁に一方の肩を無理に押し付けることなく幅の狭い鏡を楽に見ることが可能となる。
【００１４】
すなわち、狭いトイレを有効に使う必要上、トイレルームの奥行き方向のスペースを確保するために手洗い器の横幅を限定するとともに、トイレルームの幅方向のスペースを確保するために手洗い器の設置向きを限定した場合に生じる不具合を、鏡付き手洗い器の鏡をこのように傾斜させることで解消することができる。
【００１５】
また、本発明の請求項２に記載の鏡付き手洗い器のトイレ内配置構造は、請求項１に記載の鏡付き手洗い器のトイレ内配置構造において、
前記鏡付き手洗い器の鏡を便器側のトイレルーム空間に対して角度調整可能となるように手洗い器に備えたことを特徴としている。
【００１６】
鏡付き手洗い器の鏡をこのように角度調整可能とすることによって、使用者が鏡を最適な角度に調整可能となり、鏡付き手洗い器の使い勝手をさらに向上させることができる。
【００１７】
また、本発明の請求項３に記載の鏡付き手洗い器のトイレ内配置構造は、請求項１又は請求項２に記載の鏡付き手洗い器のトイレ内配置構造において、
前記鏡を前記鏡付き手洗い器の幅方向一部に対応するように備えるとともに、当該鏡付き手洗い器の幅方向残りの部分に対応するようにタオル掛けを備えたことを特徴としている。
【００１８】
このように鏡付き手洗い器の幅方向においてタオル掛けを鏡に並べて備えることで、手洗い器上の水切れしない位置にタオル掛けを配置でき、使用者の顔が見やすい鏡と相俟って鏡付き手洗い器の使い勝手を更に向上させることができる。
【発明の効果】
【００１９】
本発明によると、比較的狭いトイレルームにおいて、トイレルームの幅方向や奥行き方向のスペースを確保するために、小型の手洗い器を設置した場合も、手洗い時に使用者の顔が見やすい鏡付き手洗い器のトイレ内配置構造を提供することができる。
【発明を実施するための最良の形態】
【００２０】
以下、本発明の一実施形態にかかる鏡付き手洗い器のトイレ内配置構造について図面に基づいて説明する。ここで、図１は、本発明の一実施形態にかかる鏡付き手洗い器のトイレ内配置構造を示した概略平面図である。また、図２は図１に示したトイレルーム１００の便器１５０と反対側の端壁１２０にトイレルーム１００への出入り用扉１４０を設けた状態を示した概略平面図である。
【００２１】
本発明の一実施形態にかかる鏡付き手洗い器のトイレ内配置構造は、図１に示すように、上面視長方形のトイレルーム１００の長手方向一方に便器１５０が配置されるとともに、トイレルーム１００の長手方向をなす側壁１１０の便器１５０と反対側端部近傍に鏡付き手洗い器１０が配置されている。そして、鏡付き手洗い器１０は、例えば陶器でできた手洗い鉢からなる手洗い器１１と、この手洗い器１１の上部に備わり、手洗い器１１と同等の幅の鏡１２を有している。また、手洗い器１１は使用者の肩幅より狭い幅を有し、手洗い器１１の背面全体が側壁１１０に接するように配置されている。また、手洗い器１１に備わった鏡１２は、側壁１１０に対して便器側のトイレルーム空間に向かって若干傾いた状態で手洗い器１１に備わっている。
【００２２】
本実施形態にかかる鏡付き手洗い器１０はトイレルーム１００にこのように配置されているので、以下のような作用を生じる。鏡付き手洗い器１０の手洗い器１１がトイレルーム１００の便器１５０と反対側のコーナー部近傍の側壁１１０に沿って配置されていることで、従来のようなコーナー部をなす２つの壁部（側壁１１０と端壁１２０）に対して鏡付き手洗い器５０を斜めに備えつけた場合のように、鏡付き手洗い器５０の背面とトイレルームのコーナー部との間に上面視三角形のデッドスペース１０１が生じてしまうことがなく、トイレルーム内のスペースを有効活用できる。
【００２３】
また、手洗い器１１が使用者の肩幅より狭くなっているので、使用者が便器１５０に着座した状態で膝が手洗い器１１にぶつかることもない。また、鏡付き手洗い器１０の鏡１２だけ便器側のトイレルーム空間に向かって若干傾斜しているので、幅の狭い手洗い器１１をこのような位置に配置しても使用者がトイレルーム１００の便器１５０と反対側の端壁１２０に一方の肩を無理に押し付けることなく、幅の狭い鏡１２を楽に見ながら身繕いできる。
【００２４】
これに加えて、例えば図２に示すように、トイレルーム１００の便器１５０と反対側の端壁１２０にトイレルーム１００への出入り用扉１４０を設けた場合、従来のようなコーナー部をなす２つの壁部（側壁１１０と端壁１２０）に対して鏡付き手洗い器５０を斜めに備えつけた場合（図８参照）に較べて、人がトイレルーム１００に出入りする動線を鏡付き手洗い器１０が妨げなくなる。これによって、トイレルーム１００への出入り用扉１４０の幅を大きくとることができ（図２中、幅Ａ参照）、トイレルーム１００への出入りが楽になる。
【００２５】
なお、この鏡付き手洗い器１０の鏡１２を固定式とする代わりに、適当なヒンジ手段等を用いて側壁１１０に対して角度調整可能となるように手洗い器１１に取り付けても良い。これによって、使用者の体格の違いに応じて角度を変えて使い易くすることが可能となる。この場合、例えば女子用トイレと男子用トイレとで鏡の角度を適宜調整することが可能となる。すなわち、女子用トイレにおいては鏡を若干傾ける程度にしておいても使用者の肩がトイレルーム１００の端壁１２０に干渉しないが、男子用トイレにおいてはより鏡を傾けておくことで使用者の肩がトイレルーム１００の端壁１２０に干渉しないようにできる。
【００２６】
また、鏡１２の幅は本実施形態のように手洗い器１１と同等であることに限定されず、これより狭くても構わない。
【００２７】
続いて、上述した実施形態にかかる鏡付き手洗い器のトイレ内配置構造の変形例について説明する。ここで、図３は、本発明の変形例にかかる鏡付き手洗い器のトイレ内配置構造を示した概略平面図である。なお、上述した実施形態と同等の構成については対応する符号を付して詳細な説明を省略する。この鏡付き手洗い器２０のトイレ内配置構造の変形例においては、上述の実施形態と同様に、トイレルーム１００の長手方向をなす側壁１１０の便器１５０と反対側端部近傍に鏡付き手洗い器２０が配置されている。そして、鏡付き手洗い器２０は、例えば陶器でできた手洗い鉢からなる手洗い器２１と、この手洗い器２１の上部に備わった鏡２２及びタオル掛け２３を有している。なお、手洗い器２１は使用者の肩幅より狭い幅を有し、手洗い器２１の背面全体が側壁１１０に接したまま配置されている。
【００２８】
また、鏡付き手洗い器２０の手洗い器上方は鏡付き手洗い器２０の幅方向において便器１５０と反対側半分に鏡２２を備えるとともに、幅方向残りの部分即ち便器側にタオル掛け２３を備えている。そして、鏡２２は上述の実施形態と同様に便器側のトイレルーム空間に向かって若干傾いた状態で手洗い器２１に取り付けられている。
【００２９】
このような鏡付き手洗い器２０の配置構造とすることで、上述した実施形態の作用を達成することができる。すなわち、従来のように、鏡付き手洗い器５０の背面とトイレルーム１００のコーナー部との間に上面視三角形のデッドスペース１０１が生じてしまうことがない。また、手洗い器２１が使用者の肩幅より狭くなっているので、使用者が便器１５０に着座した状態で膝が手洗い器２１にぶつかることもない。また、鏡付き手洗い器２０の鏡２２だけ便器１５０に向かって若干傾斜しているので、幅の狭い手洗い器２１をこのような位置に配置しても使用者がトイレルーム１００の便器１５０と反対側端壁１２０に一方の肩を無理に押し付けることなく幅の狭い鏡２２を見て身繕いすることが可能となる。
【００３０】
また、トイレルーム１００への出入り用扉１４０を図１に示す場合と同様にトイレルーム１００の端壁１２０に設けた場合、手洗い器２１が使用者のトイレルーム１００への出入りの動線を妨げることがないので、トイレルーム１００への出入り用扉１４０の幅を大きくとることができ、トイレルーム１００への出入りが楽になる。
【００３１】
また、本変形例においてはこのような作用に加えて手洗い器上の水切れしない位置にタオル掛け２３を配置でき、使用者の顔が見やすい鏡２２と相俟って鏡付き手洗い器２０の使い勝手を向上させることができる。
【００３２】
なお、本変形例においても、鏡付き手洗い器２０の鏡２２を固定式とする代わりに、適当なヒンジ手段等を用いて手洗い器２１に対して角度調整可能となるように手洗い器２１に取り付けても良い。これによって、使用者の体格の違いに応じて角度を変えて鏡付き手洗い器２０をより使いやすくすることが可能である。
【００３３】
また、この変形例においては、鏡付き手洗い器２０の幅方向において便器１５０と反対側半分に鏡２２を備えるとともに、幅方向残りの部分即ち便器側にタオル掛け２３を備えていたが、この逆であっても良い。すなわち、鏡付き手洗い器の幅方向便器側半分に鏡を備えるとともに、幅方向残りの部分即ち便器と反対側にタオル掛けを備えていても良い。この場合であっても、本変形例において記載した作用を発揮することは十分可能である。
【００３４】
なお、上述の実施形態では手洗い器１１の上部に鏡１２が一体に備わった構造を有していたが、本発明は必ずしもこの構造に限定されず、手洗い器と鏡が分離し別体として構成され、鏡が手洗い器の上方であって上述の実施形態に対応するようにトイレルームの側壁に配置されていても良い。
【００３５】
また、上述の実施形態の変形例においては、鏡２２とタオル掛け２３が手洗い器２１の上部に一体に備わった構造を有していたが、この場合も鏡及びタオル掛けが手洗い器と分離し別体として構成されかつ鏡及びタオル掛けが手洗い器の上方であって上述の変形例に対応するようにトイレルームの側壁に配置されていても良く、タオル掛けが手洗い器に備わり、鏡は手洗い器と分離して構成されかつ手洗い器の上方であって上述の変形例に対応するようにトイレルームの側壁に配置されていても良い。
【図面の簡単な説明】
【００３６】
【図１】本発明の一実施形態にかかる鏡付き手洗い器のトイレ内配置構造を使用者が手を洗った状態とともに示した概略平面図である。
【図２】図１に示した鏡付き手洗い器のトイレ内配置構造において端壁にトイレルームへの出入り用扉を備えた場合を使用者が便器に座った状態とともに示した概略平面図である。
【図３】図１に示した鏡付き手洗い器のトイレ内配置構造の変形例を示す概略平面図である。
【図４】従来の鏡付き手洗い器のトイレ内配置構造を示した概略平面図である。
【図５】図４とは異なる従来の鏡付き手洗い器のトイレ内配置構造を示した概略平面図である。
【図６】図５と同様の従来の鏡付き手洗い器のトイレ内配置構造を示した概略平面図である。
【図７】図６に示した従来の鏡付き手洗い器のトイレ内配置構造において使用者が手を洗う状態を示した概略平面図である。
【図８】図４に示した鏡付き手洗い器のトイレ内配置構造において端壁にトイレルームへの出入り用扉を備えた場合を示した概略平面図である。
【符号の説明】
【００３７】
１０    鏡付き手洗い器
１１    手洗い器
１２    鏡
２０    鏡付き手洗い器
２１    手洗い器
２２    鏡
２３    タオル掛け
５０，６０，７０    鏡付き手洗い器
７２    鏡
１００    トイレルーム
１０１    デッドスペース
１１０    側壁
１２０    端壁
１３０    出入り用扉
１４０    出入り用扉
１５０    便器
【図１】
2007029544.tif 000003
【図２】
2007029544.tif 000004
【図３】
2007029544.tif 000005
【図４】
2007029544.tif 000006
【図５】
2007029544.tif 000007
【図６】
2007029544.tif 000008
【図７】
2007029544.tif 000009
【図８】
2007029544.tif 000010